(57)【要約】      （修正有）【課題】地球以外の惑星の環境を改善するために小天体を惑星に定期的に激突させる手段および地球にいずれ激突する可能性がある小惑星を回避するような有効的な手段を提供する。【解決手段】小惑星を自動的に捕捉し運搬するよう開発された防護装置の推力・比推力が大きい複数個の運搬装置によって、小惑星帯に存在する小惑星を自動的に捕捉し運搬して効率的・定期的・集中的に惑星に激突させてその激突エネルギー・熱で氷床を融解し、多大の水と水蒸気を生成して上空に貯留した水蒸気で惑星の環境改善を有効的に推進する。この開発装置は、防護装置の反射基地系集団と併せて共同で連携をとりながら推進すれば一層効率的である。上記の運搬装置はその各体を制御する運搬ネットワークと、観測装置と地球管制体の大型電子計算機とのネットワーで連携され、自動的・効率的・省力的・計画的・体系的な開発が成される。【選択図】図３
2006168698.tif 000002
【特許請求の範囲】
【請求項１】
小惑星帯までの住路・帰路を高速で飛行しうる推力・比推力が共に大きい新ロケットによる住路推進体・帰路推進体及び化学燃料等による姿勢制御・追尾用の操縦体を備え、適度の大きさの小惑星を補促用や分離用の出入腕等の補促体を備え、いずれ開発を目標とする惑星・衛星の近傍まで該小惑星を運搬したのち、該小惑星の捕捉状態を解除後減速して分離し初速付与や慣性による飛行等で小惑星のみ該惑星の氷床等に激突させるべき必要な機材を搭載した運搬装置と、
地球や該惑星・衛星の近傍から、または小惑星帯に近づいたのち適度の大きさの小惑星を管視カメラ等で管視・捕捉する小惑星観測体、該惑星・衛星の位置や表面の状態等を観測する開発対象観測体、該小惑星が惑星・衛星に激突されたのちにその表面の状態・氷の融解の状態、融解水や水蒸発の状態を観測する激突後観測体、等を含む観測装置と、
該観測装置からの情報・データ・映像を受信・分析し・判定して該運搬装置や該観測装置に指令制御を出すようネットワークが構成された運搬ネットワークと、地球管制体の大型電子計算機と、がネットワークに構成された制御装置と、
を具備した開発装置。
【請求項２】
前記開発装置は、惑星の表面の状態が精密に観測されて送信されるよう構成された惑星観測衛星と、
惑星の表面の状態を着陸して試験片も地球に持ち帰る試験衛星と、
前記激突の前後を観測し地球に送信する激突前後の観測衛星と、
それら地球への送信を受信し分析し今後の開発方針を研究し指令を出力する地球管制体の分析装置と、
を具備した請求項１記載である開発装置。
【請求項３】
いずれ地球に接近する軌道を運行し続けており一定期間後は最悪の場合地球に激突して地球環境を大きく破壊する危険性が大きい小天体（例えば長楕円軌道の小惑星・彗星等）の小運行軌道を地球や地球近傍の人工衛星等から観測・計算・予測する地球観測装置と、
該小天体の小運行軌道に高速で接近し該小天体を追尾し続ける推力・比推力が共に大きい新ロケット（例えば核融合ロケット）を備えた新推進体、該新推進体の進行コースや姿勢を制御し操縦し該小天体に微調整しながら該小天体に最接近したのち該小天体を握持する複数対の捕捉腕を備えた捕捉体、近傍の天体や小天体等を観測し住路・帰路の状況等の映像・データ・情報を観測する運搬観測体、等を搭載した運搬装置と、
該運搬観測体等の情報・データを受信し各体の電子計算機群を統括し制御指令を送受信する運搬ネットワーク、該地球観測装置や該運搬ネットワーク及び地球管制体の大型電子計算機、等がネットワークに構成され、分析・計算し制御指令を出力する制御装置と、
を具備した開発装置。
【請求項４】
地球近傍から惑星・小天体の状態が観測され、または観測ロケットの飛行によってそれらの状態が観測されてデータが蓄積される観測段階と、
前記開発装置によって惑星・小天体が最も適切な開発・処理の手段が研究される研究段階と、
前記開発装置によって惑星・小天体が開発され、あるいは処理される実験が行われる実験段階と、
前記開発装置によって惑星・小天体が開発・処理される開発段階と、
を具備した開発装置の使用方法。
【発明の詳細な説明】
【技術分野】  本発明は開発装置とその使用方法に関し、より詳しくは運搬装置等によって小惑星帯から運搬しまたは地球の近傍に接近する軌道の小天体を補促後に運搬して、地球環境を防護しつつ開発必要とされた惑星にその天体を激突させて氷から大量の水や水蒸気を定期的に生成し、制御装置のネットワークによって、惑星・衛星等の開発を自動的・効率的・計画的・体系的に図る一手段を開発するものである。
［背景技術］
２０世紀は去り、私達は２１世紀という新らしい世紀を迎えた。ここで２１世紀という時代を人類の歴史や地球の歴史上より顧みることは、単に１つの世紀の区切りの時代ということのみに止まらず極めて重要な意義を有することになった。恐らくこの数１０年の世界の対応如何が、未来に向けて末永く生存するべき人類の運命を左右しかねない程、重要な意義を持つと予測される事態に至ってきた。
まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、地球環境の深刻化という大きく、かつ深刻な試練を受けることになっている。副産物の中には人間の居住パターンを変える程の大きな影響を及ぼすと予測されているものもある。その具体的な１例を図１を参考にして大略説明する。前記した図１の図（ａ）・図（ｂ）に示すように、２０世紀における世界人口・国民総生産・エネルギー消費量の爆発的な増大に伴って、図（ｃ）に示すように石油消費量は年間１０億トンを越すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。生命にとって絶好の生存環境条件を備えた現在の地球は、太陽からの公転距離、従って太陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熟成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は防護され尽されねばならない。そのためには、環境破壊の原因の排出を繰返してきた２０世紀の人類の活動の全てが個々の立場に於て検証され、最善の対策が図られるべき必要に迫られてきた。世界の人口が１０億に達したのは１８００年頃で、人類が誕生して以来非常に長い歴史が必要であった。しかし、２０億になるには約１３０年、３０億になるには３０年、４０億になるには１５年しかかっていない。特に、第２次世界大戦後における幾何級数的な世界人口の増加は、人口爆発と呼ばれるにふさわしいものであった。この増加傾向は多少変化があるとしても、前記のように世界人口は２０５０年には１００億に達するとみられている。従って、地球は半世紀の間に食糧、水、資源、居住環境等人類生存の必須条件の全ての面において、現在の約２倍の人口を維持しうるだけの扶養能力を備えていなければならない。これらの必須条件が世界人口の生存上充分に余裕のあるうちは、人口増加は人類の繁栄を示すもので結構なことである。現に、数十年前まではそうであった。しかし、第２図に示すように現在実際に直面しまた予測されている危機的課題はいずれも地球規模のものであり、将来益々激しさを増すもので非可逆的性格が強い。その主な原因は世界人口の激増が引き金になっていることが判っている。エネルギーを初め多くの資源の需要は等比級数的に伸びるのに対して、資源の量には絶対的限界がある。幾世紀、幾億年かけて生成された森林や土壌や地球独得の資源等が今や人間一生程の短い期間に消費されている。また、これらのこことが将来、政治的・社会的安定を脅かす原因となってくる可能性が大きい。２０世紀の人類はその活動の産物として数々の地球環境問題で大きなツケを２１世紀以降の後世に残すことになった。後世の人々は数々の大問題の解決に県命にならねばならぬ時が来る。県命になって解決されればそれで良い。なおかつどうすることもできず解決できぬ時にどうするか。２０世紀はこのことに対して痛切に心が痛まざるを得ないのが本当だ。人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い、でも仕方がない。方向性や必要性の明確になった技術開発は年月がかかれば何とか妥当な答えがでるものが多い。やがて世の中の技術のレベルが向上し発展すれば難問が解決される日も来るであろう。現代の地球環境問題にも未来の地球・人類には天体上の諸理由によって起る危機、正に大危機と呼ばれる試練が待ち受けている。過去複数回到来したものは未来も複数回到来するであろう。後記の氷期の到来の課題然り、小惑星の地球衝突の課題然りである。それらは枠外れの厳冬や大地震よりさらにレベルが異る大危機である。以上は相当現代に近い近未来〜中未来の切実で大きな課題である。相当先々の中未来〜遠未来のことになるが太陽光度の漸次増強による地球高温化、地球の第２金星化の課題は放置すれば生物や人類の世紀末とも言うべき、全運命を左右する大危機である。
本発明の第１の目的は、防護装置（特許第２９０６１６５号）の主要構成である反射基地系集団と共に開発装置を惑星の近傍の宇宙空間に配備しまたは小天体を運搬装置で運搬して小天体を惑星に激突させて、自動的・効率的・計画的・体系的に地球環境の防護を図りつつ連携して惑星の環境の開発を図るものである。
［発明を実施するための最良の形態］
（１−１）実施例  運搬装置    次に（１−１）実施例について図を参照して説明する。図４の図（ａ）は運搬装置の一実施例を示す平面図、図（ｂ）は同上実施例の側断面図、図（ｃ）は同上実施例の２種を示す模式図である。本実施例の運搬装置は、推力・比推力が大きいロケットを惑星の近傍の宇宙空間に配備された開発系（観測装置、反射基地系集団等）と小惑星帯との間の宇宙空間を住復運行して小惑星や地球の近傍まで接近する彗星核等の小天体を補促体による視覚できれば最終的には全自動の操作によって補促し、惑星等の近傍の宇宙空間まで運搬して、惑星の開発に必要な水や水蒸気の生成を小天体の惑星への激突によって可能にするためのもので、その開発に必要な激突物を地球の大きな引力に抗して打上げて幕大なエネルギーを消費することなく単に推進体への住復の燃料の供給によって複数個の多数回の住復運行を可能にし、エネルギーや経済性の養護を図り、ネットワークされた制御装置で自動的・効率的・計画的・体系的な開発の一手段を図るものである。本実施例の運搬装置は、推進体、連結体、繰縦体、捕捉体、観測体、それらの各体を統卒する運搬ネットワーク等で構成される。
○推進体は、推力・比推力が大きいロケット、例えば未だ未開発で研究中とされているが核融合を用いた推進力によって構成される。推進体は例えば略筒状に形成されその後部に装備された後噴射部と先噴射部とを備えている。後噴射部は複数の噴出口を備えて主に住路加速・帰路減速用に用いられる。先噴射部は複数の噴出口を備えて主に帰路加速・住路減速用に用いられる。推進体は筒状のものが１対または２対によって成る。
○連結体は、略筒状の推進体の１対または２対がそれらの中間または端部を互いに連結するためのもので、これら推進体と連結体とによって
2006168698.tif 000003
連結体は核融合炉等が収容されるよう必要な大きさに構成される。核融合炉等は連結体に限らず各々の推進体の中間に収容されてもよい。
○繰縦体は、例えば推進体の後部や先部に外側に向けて複数対装備される小型の噴射器で、運搬装置の住路・帰路の効率的な制御や小天体を補促する際や小天体を運搬装置から惑星の表面へ激突する際に運搬装置の姿勢を微妙に調整制御するために使用される。繰縦体は小出力で充分であるから化学燃料等によって噴出力が供給され、噴出方向は調節可能でもよい。
○捕捉体は、小天体を簡単な操作、例えば視覚・遠隔・自動のいずれかの操作によって補促するもので、具体的な構造は特に限定されるものではない。捕捉体は小天体が各々の操作によって補促され易いよう、かつ小天体による巨大な重量が無重力の宇宙空間に於ても慣性が安定する位置に装備され、推進体による推進が円滑に成される位置に装備される。また捕捉体は小天体を捕捉後、簡単に運搬装置から分離しないよう安定的に一体化されて運搬されるのに適する構造が採用される。上記の諸条件を満すかもしれない一実施例を以下に述べる。捕捉体は例えば１対または２対の推進体と連結体とで囲まれる空間に小惑星が捕捉されるよう装備される。その具体的な１例にすぎないが上記の空間に一担収容された小天体が仮保持されるよう複数対の捕捉腕の先端を小天体の表面に圧接させる。捕捉腕は例えば推進体の表裏に複数対が油圧力で突出・引込が可能なように装備される。捕捉腕の先端には適当な緩衝材がされる。推進体や連結体の表面にも緩衝材が付され小天体によって損傷されることを防止する。緩衝材は圧縮バネかゴム等でもよい。伸縮するよう組まれた伸縮枠でもよい。
○運搬ネットワークは、上記の各体を制御する小型電子計算機のネットワークであり、地球管制体の大型電子計算機の制御を受ける。
（１−２）実施例    開発装置    次に、（１−２）実施例について図を参照して説明する。図の図（ａ）は運搬装置が自動的に小惑星帯や地球に接近する軌道の小天体を捕捉する図、図（ｂ）は小天体が惑星に激突する図である。本実施例の開発装置は、複数の運搬装置を、開発を目標とする惑星の近傍と、小惑星帯と、の間を定期的に住復させて、小惑星帯に存在する多数個の適大の小惑星に極く低速で近づいて捕捉腕等を用いて自動的に捕捉し、運搬できる状態に握持して、高速で上記惑星の近傍まで飛来する。次に惑星の近傍の宇宙空間に於て、握持していた小惑星を解放してその小惑星を前方へ押出した後、運搬装置は後噴射部を噴射させてその惑星から遠ざかり、再び小惑星帯へと高速で飛行する。解放され押出された小惑星はその惑星の表面に激突しその激突の膨大なエネルギー・熱で氷床を融解し、多大の水や水蒸気を生成し、水蒸気は惑星の上空に貯留し、惑星の気候を適度に譲成する。これにより、近未来以後に火星等の惑星の開発が是非必要となった時点で、上記複数の運搬装置と、観測装置と、地球管制帯の大型電子計算機と、のネットワークされた制御装置と、によって惑星の開発が自動的・効率的・計画的体系的に可能になると推定される一手段を図るものである。
（１−３）実施例    開発装置（地球からすれば近未来の安全の為の防護装置）次に（１−３）実施例を図を参照して説明する。図は上記と同じ図で併用する。本実施例の開発装置は、いずれ数月〜数十年の中に地球に最接近すると観測・推定される小天体の軌道に運搬装置が高速で近づいてその軌道を追尾し、極めて相対的に遅い速度で追尾が可能になった時点で、捕捉腕等によってこれを握持し、別の捕捉腕（棒）で油圧等で運搬装置の略中心部で握持する。この状態で開発すべき惑星に接近してこの小天体のみを激突させて氷床を融解する（詳しくは上記の通り）小天体は、その軌道が早期に発見され、早期に捕捉・処理される程飛行速度との関係もあり安全性が高いと推定される。これにより、地球に最接近する小天体の脅威が遠のくとすれば地球は防護され惑星は開発されると推定される。
［発明の効果］
本発明は上記したように構成されているので下記の効果を奏すると推定される。
（１・２）惑星（例えば火星）・衛星（例えば木星等の衛星）等には相当の氷が存在する。そこで例えば小惑星帯に存在している種々の大きさの多数個の小惑星のうち適当な大きさのものが防護装置（特願２００３−４０８２１１号）の運搬装置によって自動的・定期的に捕捉・運搬されて惑星や衛星の近傍まで運ばれてくる。
従って、開発を目標とする惑星・衛星の近傍で捕捉していた状態を、捕捉棒の突出状態を解除して押出棒で前方へ押出す。運搬装置は逆噴射することによって減速する。即ち、運搬装置によって運搬されてきた小惑星は運搬装置から分離されてそれまでの運搬速度による慣性によって小惑星のみそれまでの運搬速度で惑星・衛星に向って突進し、惑星・衛星の表面に激突する。この激突による膨大なエネルギー・熱によって惑星・衛星の表面や地下に存在していた氷・凍土は一挙に氷解して水あるいは水蒸気となって、惑星・衛星の表面あるいはその近傍の宇宙空間に飛散して上空で引力により飛散が止って惑星・衛星の上空に貯留することになると推定されうる。このような運搬装置による小惑星の捕捉・運搬・激突・氷や凍土の飛散・水蒸気の上空貯留等一連の操作が多数回しかも定期的に繰返されることによって、惑星・衛星の多大の氷は融解して水となり、またはそれらの上空に貯留する。
2006168698.tif 000004
されていれば、小惑星の自動捕捉・運搬・分離・激突を全自動でできる。運搬装置はこれらの形態に限定することなく、一実施例に過ぎないが例えば小惑星帯までの住路・帰路の加速・減速小惑星の捕捉・分離が行い易い構成であればよい。定期的に運搬されるよう多数個配備される運搬装置は、各々の体（捕捉腕等）を制御する運搬計算機と、惑星の観測装置と、地球管制体の大型電子計算機と、が全てネットワークに構成されているので、自動的・効率的・計画的・体系的に上記の各操作が多くの人力を必要とせず極めて経済的に成される可能性がある。各惑星・衛星が開発されたのちは、開発装置（１２月８日出願）によって環境の制御が可能となると推定される。
（３・４）開発装置は、運搬装置が推力・比推力が共に大きい新ロケット（例えば核融合ロケット）によって往路推進体と帰路推進体とが構成されているので、地球に接近する楕円軌道を運行する小天体（小惑星や彗星核）の軌道にも高速で接近しこれを追尾することができる。また、化学燃料等による姿勢制御・追尾用・捕捉用の操縦体を備えているので、上記の小天体の軌道に接近し追尾した後に相対的に運行速度が略等しい状態になった後に、捕捉腕を操作して小天体を仮捕捉できる。捕捉体は観測装置や微速体等によって小天体と略等しい相対運行速度
2006168698.tif 000005
みの捕捉も可能になると推定される。小天体が完全に捕捉されたのちは新ロケットによる帰路推進体によって高速で飛行が可能であり、開発を目標とする惑星があればそれに小天体を激突させることもできる。（前記（１）の通り）開発を目標とする惑星が無い場合は太陽に向って、あるいはその反対側へ小天体のみを初速をつけて放出し、再び地球に接近しないように処理することもできる。または、小天体の捕捉が必要なければ運行軌道を変るべく押圧等の操作もできる。開発装置は、このようにして地球に最接近する小天体が発見され次第、最も適切に処理されることが可能になった場合、以後地球に壊滅的な打撃を加えるような被害は取除くことができ、従って地球は過去幾度か小天体の激突のように全生物が壊滅的な大災害が起ることも防止できる。相当に巨大な小天体であれば接近・当接後新ロケットの噴射を必要時間付与し続けて軌道を全く安全な状態に軌道修正もできる。小天体の大きさは地球近傍からも確認できるのでそれに応じた運搬装置が派遣されればよい。開発装置は新ロケットが開発・実用化され次第、可能になると推定されるので新ロケットが命運を分けることになる。まだ、地球に対して壊滅的な小天体がその軌道が発見されていないことは恵まれている。現在の平穏な時代から全小天体の軌道の観測・データ化と、新ロケットの開発が望まれている。従って、新ロケットの開発され次第上記のことが可能となりうるように開発装置が並行して開発されることは意義が大きいと推定される。
【図面の簡単な説明】［図１］
１９・２０世紀の環境・資源等の深刻な課題と２１世紀の予測を示す図、
［図２］
代表的な地球規模の課題の過去の経過と未来の予想を示す図、
［図３］
本発明の開発装置の電子計算機（制御装置）のネットワークを示す図、
［図４］
本発明の開発装置の運搬装置の一実施例を示す模式図、
［図５］
本発明の開発装置の運搬装置による小天体の捕捉・激突の状態を示す模式図、
［図６］
本発明の開発装置の運搬装置によって小惑星を運搬する状態を示す模式図、
［図７］
本発明の開発装置の基地系集団と共同で惑星（金星等）の温度降下を図る模式図である。
【符号の説明】
【図１】
2006168698.tif 000006
【図２】
2006168698.tif 000007
【図３】
2006168698.tif 000008
【図４】
2006168698.tif 000009
【図５】
2006168698.tif 000010
【図６】
2006168698.tif 000011
【図７】
2006168698.tif 000012